(57)【要約】【課題】  目地割りパネルを用いた法面覆工構造において、隣接するパネル間における草押え効果をより有効に達成する。【解決手段】  上層部２０ａが縦目地溝２１と横目地溝２２にて区画された多数の小ブロック２３群から成り、該小ブロック２３群を連結する下層部２０ｂに可撓性連結ネット２５を埋設し、該覆工用目地割りパネルの下層部２０ｂの下面に可撓性草押えシート３６を貼付し、該可撓性草押えシート３６の隣接する二辺を上記下層部２０ｂの下面の二辺から張り出して張り出し部３６ｂを形成して成る覆工用目地割りパネルを用い、該目地割りパネルを法面３３に多数枚敷設し、上記各目地割りパネルの張り出し部３６ｂ上に隣接して敷設した目地割りパネルの張り出し部を有しない二辺の下面に貼付した草押えシート３６の下面を重ね、該重ね代によって隣接する目地割りパネル間における草押えを図る構成とした覆工用目地割りパネルを用いた法面覆工構造。【選択図】  図８
2011140873.tif 000002
【特許請求の範囲】
【請求項１】
上層部が縦目地溝と横目地溝にて区画された多数の小ブロック群から成り、該小ブロック群を連結する下層部に可撓性連結ネットを埋設し、該下層部の下面に可撓性草押えシートを貼付し、該可撓性草押えシートの隣接する二辺を上記下層部の下面の二辺から張り出して張り出し部を形成して成る覆工用目地割りパネルを用い、該覆工用目地割りパネルを法面に多数枚敷設し、上記各覆工用目地割りパネルの張り出し部上に隣接して敷設した目地割りパネルの張り出し部を有しない二辺の下面に貼付した草押えシートの下面を重ね、該重ね代によって隣接する覆工用目地割りパネル間における草押えを図る構成とし、更に上記覆工用目地割りパネルの上記縦目地溝と横目地溝の交差部の要所に上記下層部を貫通し且つ上記可撓性草押えシートで閉鎖されたアンカーピンの打ち込み用の貫通孔を形成し、該貫通孔に上記アンカーピンを挿入して上記可撓性草押えシートを強制的に貫き法面に打ち込んで上記覆工用目地割りパネルを上記可撓性草押えシートと一体に法面に固定することを特徴とする覆工用目地割りパネルを用いた法面覆工構造。
【発明の詳細な説明】
【技術分野】
【０００１】
本発明は法面に多数枚置き敷きし広面積の覆工面を形成する覆工用目地割りパネルを用いた法面覆工構造に関する。
【背景技術】
【０００２】
図１に示すように、従来よりパネル上層部が縦目地溝１と横目地溝２にて縦横に区画された多数の小ブロック３群から成り、該小ブロック３群を連結するパネル下層部に上記縦目地溝１の底部接合部と横目地溝２の底部接合部を通る可撓性連結ネット５を埋設して成る、モルタル等のパネル成形材９，９´により一体成形された覆工用目地割りパネルが周知である。
【０００３】
従来の覆工作業にあたっては、法面（地面）に広面積の可撓性草押えシートを敷設し、該可撓性草押えシートの上面に上記目地割りパネルを多数枚置き敷きし広面積の法面覆工構造を形成する方法を採っている。
【０００４】
上記覆工用目地割りパネルは歩行荷重等により、目地溝底部の接合部において割れを生じて法面の不陸に順応し置き敷きされ、割れを生じた小ブロック３間を可撓性連結ネット５により連結を保持する。
【発明の概要】
【発明が解決しようとする課題】
【０００５】
而して上記覆工用目地割りパネルを用いた法面覆工構造においては、その置き敷き作業に先立ち、法面に広面積の多数枚の可撓性草押えシートを敷設する作業を要し、作業負担と作業の遅延を招いている。
【０００６】
又広面積の可撓性草押えシートの上面に覆工用目地割りパネルを覆工する場合、パネル及び作業者に滑りを生じ、作業の支障となる。
【０００７】
又覆工用目地割りパネルと可撓性草押えシートは自由界面で重なり合っている構造であるから、自由界面内へ草が侵入生育し、隣接するパネル間又は割れ誘発目地溝から繁茂する問題を生起する。
【０００８】
加えて経年的に覆工用目地割りパネルにずれを生じ、隣接するパネル間に顕著な間隔を生ずる問題を有している。
【課題を解決するための手段】
【０００９】
本発明は上層部が縦目地溝と横目地溝にて区画された多数の小ブロック群から成り、該小ブロック群を連結する下層部に可撓性連結ネットを埋設し、該下層部の下面に可撓性草押えシートを貼付し、該可撓性草押えシートの隣接する二辺を上記下層部の下面の二辺から張り出して張り出し部を形成して成る覆工用目地割りパネルを用いた法面覆工構造に係る。
【００１０】
即ち上記構造の覆工用目地割りパネルを法面に多数枚敷設し、上記各覆工用目地割りパネルの張り出し部上に隣接して敷設した目地割りパネルの張り出し部を有しない二辺の下面に貼付した草押えシートの下面を重ね、該重ね代によって隣接する覆工用目地割りパネル間における草押えを図る構成とした法面覆工構造である。
【００１１】
更に上記覆工用目地割りパネルの上記縦目地溝と横目地溝の交差部の要所に上記下層部を貫通し且つ上記可撓性草押えシートで閉鎖されたアンカーピンの打ち込み用の貫通孔を形成し、該貫通孔に上記アンカーピンを挿入して上記可撓性草押えシートを強制的に貫き法面に打ち込んで上記覆工用目地割りパネルを上記可撓性草押えシートと一体に法面に固定する構成とした法面覆工構造である。
【発明の効果】
【００１２】
上記覆工用目地割りパネルは、上層部が縦目地溝と横目地溝にて区画された多数の小ブロック群から成り、該小ブロック群を連結する下層部に可撓性連結ネットを埋設すると共に、該下層部の下面に可撓性草押えシートを貼付した構成にし、小ブロック間における目地溝底部の下層の接合部の割れに対し、上記可撓性連結ネットと可撓性草押えシートが協働して割れを生じた小ブロック間の連結を保持する。
【００１３】
又覆工用目地割りパネルの下面、即ちパネル下層部の下面に貼付された可撓性草押えシートが存在するため、従って割れ部に同草押えシートが存在するため、上記割れ部及びパネル間からの草の繁茂を有効に防止する。
【００１４】
本発明に係る覆工用目地割りパネルによれば、同パネルを法面に多数枚置き敷きするのみで、草押えシートとパネル敷設が同時に行え、作業の労度負担を軽減し、工期の短縮を可能とする。
【００１５】
又覆工用目地割りパネルの敷設作業にあたってのパネル及び作業者の滑りを有効に防止する。
【００１６】
上記可撓性草押えシートの隣接する二辺を上記パネル成形材の上面の二辺から張り出し貼付する。よって上記パネルの下面、即ちパネル下層部の下面に貼付した可撓性草押えシートは、隣接する二辺を上記下層部の下面の二辺から張り出し、重ね代を形成することによって、隣接するパネル間における草押え効果をより有効に達成する。
【００１７】
パネル成形材の一回打ちで目地割りパネルを法面に固定するアンカーピンの打ち込み用の貫通孔を成形し、該目地割りパネルを適切に法面に固定し、移動や浮き上がりを防止する。
【図面の簡単な説明】
【００１８】
【図１】従来の目地割りパネルを示す平面図。
【図２】Ａ乃至Ｅは本発明に係る法面覆工構造に用いる目地割りパネルの製造法を工程順に示す断面図。
【図３】Ａは上記目地割りパネルの製造法に用いるパネル成形型を示す平面図、Ｂは同パネル成形型における貫通孔成形部を示す拡大斜視図。
【図４】上記目地割りパネルに貼付する可撓性草押えシートと同パネルとの結合構造を示す断面図。
【図５】Ａは目地割りパネルに埋設する可撓性連結ネットの具体例を平面視する断面図、Ｂは同可撓性連結ネットの交差部を示す拡大断面図。
【図６】上記目地割りパネルを一部切欠して示す平面図。
【図７】上記目地割りパネルの貫通孔にアンカーピンを挿入し地面に打設した状態を示す拡大断面図。
【図８】上記目地割りパネルを法面（地面）に多数枚敷設して覆工した状態を示す法面覆工構造の断面図。
【発明を実施するための最良の形態】
【００１９】
以下本発明の実施の形態を図２乃至図８に基づき説明する。
【００２０】
本発明に係る法面覆工構造に用いる目地割りパネルは、上層部２０ａが目地溝２１，２２にて区画された多数の小ブロック２３群から成り、該小ブロック２３群を連結する下層部２０ｂに上記縦目地溝２１の底部接合部２４と横目地溝２２の底部接合部２４を通る可撓性連結ネット２５を埋設すると共に、該下層部２０ｂの下面に可撓性草押えシート３６を貼付した構造にする。
【００２１】
上記目地割りパネルはモルタル等のパネル成形材２９より一体成形され、目地割りパネルを隣接して法面（地面）３３に多数敷設し覆工して、小ブロック３間における目地溝２１，２２底部の下層の接合部２４の割れに対し、上記可撓性連結ネット２５と可撓性草押えシート３６が協働して割れを生じた小ブロック３間の連結を保持する。
【００２２】
以下上記目地割りパネルの構成とその製造法について詳述する。
【００２３】
図２Ａに示すように、周壁３０と底壁３１を有し、該周壁３０内を該周壁３０及び底壁３１と一体で且つ周壁３０より低背の縦目地溝形成用区画壁２７と横目地溝形成用区画壁２８を互いに交差するように設けて上面で開放せる多数の小ブロック成形室３２に区画して成るパネル成形型２６を用意する。
【００２４】
図２Ａ，図３に示すように、ベース３４上に置設又は一体に配設したＬ型アングル等の枠材３５内に上記パネル成形型２６を収容して底壁３１をベース３４上に載置しつつ、該枠材３５によりパネル成形型２６の周壁３０上端より外側方へ略水平に張り出した鍔部３０ａを支持する。
【００２５】
次に図２Ｂに示すように、上記目地溝形成用区画壁２７，２８上に上記可撓性連結ネット２５を載置して全小ブロック成形室３２を覆う。
【００２６】
次に、図２Ｃに示すように、該パネル成形型２６内の可撓性連結ネット２５上に上記パネル成形型２６の上面開放部を通しモルタル等のパネル成形材２９をパネル成形型２６の開放面、即ち鍔部３０ａと略同レベルまで充填し、該パネル成形材２９の充填により上記可撓性連結ネット２５が上記両目地溝形成用区画壁２７，２８で支持されつつ同区画壁２７，２８で区画された小ブロック成形室３２の内底面へ向け撓曲２５´した状態を形成する。
【００２７】
上記モルタル等のパネル成形材２９は流動性の低い高密度モルタルを用いる。上記可撓性連結ネット２５は上記パネル成形材２９の重量により、上記縦横溝形成用区画壁２７，２８に支持されつつ、中央部分を該小ブロック成形室３２の底壁の内底面、即ちパネル成形型２６の底壁３１の内底面に向け撓曲し、該底壁３１に接触支持された状態又は近接した状態を形成する。
【００２８】
そして図２Ｄに示すように、ベース３４にバイブレーションを与え、該ベース３４上に載置した成形型２６と該成形型２６内の上記可撓性連結ネット２５とパネル成形材２９にバイブレーションを与えることにより、上記可撓性連結ネット２５上に充填された上記パネル成形材２９を同ネット２５の網目を通して同ネット２５下面に面する上記小ブロック成形室３２内に充填すると同時に、同ネット２５の上記撓曲部２５´を浮上させて上記目地割りパネル下層部２０ｂ内に同ネット２５を埋設して目地割りパネルを製造する。
【００２９】
換言すると、上記バイブレーションにより、上記ネット２５上の上記パネル成形材２９を可撓性連結ネット２５の網目を通過して同ネット２５下面に面する上記小ブロック成形室３２内に充填しつつ、パネル成形材２９より比重の軽いネット２５の撓曲部２５´を浮上させ、好ましくはバイブレーション印加時間の設定により目地溝形成用区画壁２７，２８より上方へ浮上し、小ブロック成形室３２の上方の上記目地割りパネル下層部２０ｂ内に同ネット２５を埋設する。
【００３０】
更に図２Ｅ，図６，図８に示すように、上記バイブレーションを与え、ネット２５を浮上させた後の後工程として、上記パネル成形材２９の上面の全域、即ち目地割りパネルの下面の全域に亘り可撓性草押えシート３６をパネル成形材２９を接着材として貼付する。
【００３１】
又は上記バイブレーションを与える前の前工程として、上記パネル成形材２９の上面の全域、即ち目地割りパネルの下面の全域に亘り可撓性草押えシート３６をパネル成形材２９を接着材として貼付する。
【００３２】
上記可撓性草押えシート３６は上記鍔部３０ａに支持しつつ、隣接する二辺をパネル成形材２９の上面開放部の隣接する二辺より張り出す。
【００３３】
上記可撓性草押えシート３６はその隣接する二辺が上記パネル下層部２０ｂの下面の二辺から張り出し張り出し部３６ｂを形成する。該張り出し部３６ｂを隣接して敷設した目地割りパネルの張り出し部３６ｂを有しない他の隣接する二辺の下面に重ね、該重ね代を形成することによって、隣接するパネル間における草押え効果を得る。
【００３４】
上記可撓性草押えシート３６は図４に示すように、繊維密度の高い高密度不織布３６ｃと繊維密度の低い低密度不織布３６ａの貼り合わせシートにて形成する。該可撓性草押えシート３６を低密度不織布３６ａの起毛面３６ａ´を以って上記パネル下面、即ちパネル下層部２０ｂの下面（打設パネル成形材２９の上面）に貼付し、草押えシート３６を起毛面３６ａ´を以ってパネルに強固に結合し、高密度不織布３６ｃにて草押えを図る。上記高密度不織布３６ｃ及び低密度不織布３６ａは何れもポリエステル不織布等により形成する。
【００３５】
上記覆工用目地割りパネルの下面、即ちパネル下層部２０ｂの下面に貼付された上記可撓性草押えシート３６が存在するため、従って割れ部に貼付された草押えシート３６が存在するため、上記割れ部及びパネル間からの草の繁茂を有効に防止する。
【００３６】
上記高密度不織布３６ｃはその高密度構造によって日光を遮光し、上記草の繁茂を有効に防止する。
【００３７】
上記可撓性草押えシート３６の貼付後、上記パネル成形材２９を自然乾燥、或いは蒸気や熱気体により乾燥硬化させ、上記パネル成形型２６より脱型して目地割りパネルを製造する。
【００３８】
又図３Ａ，Ｂ，図７等に示すように、上記縦目地溝２１と横目地溝２２の交差部の要所に、上記下層部２０ｂを貫通し且つ上記可撓性草押えシート３６で閉鎖されたアンカーピン３７の打ち込み用の貫通孔３９を形成し、該貫通孔３９にアンカーピン３７を挿入し、可撓性草押えシート３６を強制的に貫いて法面３３に打ち込み、個々のパネルを草押えシート３６と一体に法面３３に固定する。
【００３９】
上記アンカーピン３７の打ち込み用の貫通孔３９は、上記パネル成形型２６の縦目地溝形成用区画壁２７と横目地溝形成用区画壁２８の交差部に該貫通孔３９を形成する貫通孔成形部３８を該型２６と一体に設け、該成形部３８上に上記パネル成形材２９を充填して該貫通孔３９を上記目地割りパネルと一体に成形する。
【００４０】
上記貫通孔成形部３８は、上記貫通孔３９の貫通部３９ｂを成形する成形部３８ｂと、同貫通孔３９の上端に段部３９ａを形成する成形部３８ａとから成り、上記パネル成形材２９の上記可撓性連結ネット２５上への充填により、該貫通部３９ｂと段部３９ａを形成する。
【００４１】
他方、上記アンカーピン３７は図７，図８に示すように、鋼製等の下端が尖鋭３７ｂな直棒から成り、上端に該上端部をＬ形に曲成して形成した鉤形係止部３７ａを有し、上記尖鋭部３７ｂの基部から逆ハの字形になるようにアンカーピン３７に取り付けた抜け止め爪３７ｃを備える。
【００４２】
上記アンカーピン３７を上記貫通部３９ｂに貫挿しつつ、草押えシート３６を強制的に貫いて法面３３に打ち込み、上記鉤形係止部３７ａを上記段部３９ａに収容しつつ、段部３９ａ底面にて打ち込み深さを設定しパネル押えを図る。
【００４３】
又上記パネル成形型は図２，図３に示すように、合成樹脂フィルムを用い、上記底壁３１と周壁３０と縦横目地溝形成用区画壁２７，２８と鍔部３０ａをプレス成形等にて一体成形するか、射出成形にて一体成形する。
【００４４】
上記各小ブロック成形室３２の内底面、即ち底壁３１に波形成形部３２ａを並列して形成し、上記各小ブロック２３の上面を波形２３ａの凹凸が並列された形状に成形する。
【００４５】
好ましい例示として、上記隣接する各小ブロック成形室３２間において上記各波形成形部３２ａを互いに直交するように配して、図２，図６等に示すように、上記各小ブロック２３の上面を互いに直交する波形２３ａに成形する。
【００４６】
上記各小ブロック２３の上面に並列された波形２３ａ形状を付与することにより、波形目地割りパネルの日光の反射防止効果を高め、併せて滑り防止効果や美観を醸成する。上記波形２３ａ形状による反射防止効果は道路脇の法面の覆工において有効であり、安全運転に資する。
【００４７】
上記可撓性連結ネット２５は図５に示すように、経線材２５ａと緯線材２５ｂを有し、該経線材２５ａと緯線材２５ｂは合成樹脂製線材、例えば合成樹脂製単線材（モノフィラメント）を交差して形成する。
【００４８】
又は合成樹脂繊維（マルチフィラメント）の集束線材を用いる。又はガラス繊維の集束線材又はカーボン繊維の集束線材にて形成し、これらを正格子組、又は斜め格子組みし、上記経線材２５ａと緯線材２５ｂは合成樹脂層２５ｃにて被覆した構造にする。
【００４９】
例えば図５に示すように、撚り合わせ構造にした一方の撚り合わせ線材、例えば経線材２５ａ間に他方の線材、即ち緯線材２５ｂを通挿し、上記可撓性連結ネット２５を編み組する。
【００５０】
上記可撓性連結ネット２５は、上記パネル成形材２９より比重が軽く、上記浮上を適切に惹起できる。
【００５１】
上記目地割りパネルを図８に示すように法面（地面）３３に多数枚敷設し、該パネルの隣接する二辺の張り出し部３６ｂ上に、隣接する張り出し部３６ｂを有しないパネルの隣接する二辺の下面を重ね、換言すると張り出し部３６ｂを隣接するパネルの下面に貼付した草押えシート３６の下面に重ね、広域の法面３３を覆工する。
【００５２】
図示の如く法面最下段の路面と接する目地割りパネルと側溝４１間の張り出し部３６ｂ上には間詰めコンクリート４０を打設して側溝４１と協働してずれのない覆工を行う。
【００５３】
上記の如き目地割りパネルの敷設により、草押えシート３６とパネル敷設が同時に行え、作業の労度負担を軽減し、工期の短縮を可能とする。
【００５４】
又覆工用目地割りパネルの敷設作業にあたってのパネル及び作業者の滑りを有効に防止する。
【００５５】
又上記覆工用目地割りパネルの製造法によれば、パネル成形材２９の一回打ちで可撓性連結ネット２５を目地割りパネル下層部２０ｂ内へ適切に埋設し、パネル成形の工程を簡素化し、生産性を向上してコストダウンを達成できる。
【００５６】
又上記と同様、パネル成形材２９の一回打ちで目地割りパネルを法面３３に固定するアンカーピン３７の打ち込み用の貫通孔３９を成形し、該目地割りパネルを適切に法面３３に固定し、移動や浮き上がりを防止する構成を付与する。
【符号の説明】
【００５７】
２０ａ  目地割りパネルの上層部
２０ｂ  同下層部
２１    縦目地溝
２２    横目地溝
２３    小ブロック
２３ａ  波形
２４    底部接合部
２５    可撓性連結ネット
２５´  撓曲部
２５ａ  経線材
２５ｂ  緯線材
２５ｃ  合成樹脂層
２６    パネル成形型
２７    縦目地溝形成用区画壁
２８    横目地溝形成用区画壁
２９    パネル成形材
３０    周壁
３０ａ  鍔部
３１    底壁
３２    小ブロック成形室
３２ａ  波形成形部
３３    法面（地面）
３４    ベース
３５    枠材
３６    可撓性草押えシート
３６ａ  低密度不織布
３６ａ´  起毛面
３６ｂ  張り出し部
３６ｃ  高密度不織布
３７    アンカーピン
３７ａ  鉤形係止部
３７ｂ  尖鋭部
３７ｃ  抜け止め部
３８    貫通孔成形部
３８ａ  段部成形部
３８ｂ  貫通部成形部
３９    貫通孔
３９ａ  段部
３９ｂ  貫通部
４０    間詰めコンクリート
４１    側溝
【図１】
2011140873.tif 000003
【図２】
2011140873.tif 000004
【図３】
2011140873.tif 000005
【図４】
2011140873.tif 000006
【図５】
2011140873.tif 000007
【図６】
2011140873.tif 000008
【図７】
2011140873.tif 000009
【図８】
2011140873.tif 000010